(57)【特許請求の範囲】
【請求項１】
ガス通路内のガス流を検出しガス流信号を出力するガス流入力手段と、前記ガス流入力手段からの前記ガス流信号を受け取ると流量センサ駆動信号を出力する流量有無判定部と、前記流量有無判定部の前記流量センサ駆動信号を受け取るとガス通路内に流れるガス流量を計測し流量信号を出力する流量入力手段と、前記流量入力手段の前記流量信号を受け取るとあらかじめ保持している異常流量判定値と比較し前記異常流量判定値以上の前記流量信号があれば弁駆動許可信号と警報通知信号を出力する異常流量判定部と、前記異常流量判定部の前記弁駆動許可信号を受け取ると弁閉信号を出力する弁駆動部と、前記弁駆動部の前記弁閉信号を受け取るとガス通路を閉栓する弁と、前記異常流量判定部の前記警報通知信号を受け取ると外部に異常を通知する外部通知手段と、前記流量有無判定部の前記流量センサ駆動信号を受け取ると前記流量入力手段の前記流量信号の有無を複数回判定し前記流量信号がなければ前記弁駆動部に前記弁駆動許可信号と前記外部通知手段に前記警報通知信号を出力する流量矛盾判定部とを備えたガス遮断装置。
【請求項２】
ガス通路内のガス流を検出しガス流信号を出力するガス流入力手段と、前記ガス流入力手段からの前記ガス流信号を受け取ると流量センサ駆動信号を出力する流量有無判定部と、前記流量有無判定部の前記流量センサ駆動信号を受け取るとガス通路内に流れるガス流量を計測し流量信号を出力する流量入力手段と、前記流量入力手段の前記流量信号を受け取るとあらかじめ保持している異常流量判定値と比較し前記異常流量判定値以上の前記流量信号があれば弁駆動許可信号と警報通知信号を出力する異常流量判定部と、前記異常流量判定部の前記弁駆動許可信号を受け取ると弁閉信号を出力する弁駆動部と、前記弁駆動部の前記弁閉信号を受け取るとガス通路を閉栓する弁と、前記異常流量判定部の前記警報通知信号を受け取ると外部に異常を通知する外部通知手段と、前記流量入力手段の前記流量信号を受け取ると前記ガス流入力手段の前記ガス流信号の有無を複数回判定し前記ガス流信号がなければ前記弁駆動部に前記弁駆動許可信号と前記外部通知手段に前記警報通知信号を出力する流量矛盾判定部と、前記流量入力手段の前記流量信号がある一定期間途絶えると前記流量入力手段に前記流量センサ駆動信号を出力する強制駆動タイマ部とを備えたガス遮断装置。
【請求項３】
ガス通路内のガス流を検出しガス流信号を出力するガス流入力手段と、前記ガス流入力手段からの前記ガス流信号を受け取ると流量センサ駆動信号を出力する流量有無判定部と、前記流量有無判定部の前記流量センサ駆動信号を受け取るとガス通路内に流れるガス流量を計測し流量信号を出力する流量入力手段と、前記流量入力手段の前記流量信号を受け取るとあらかじめ保持している異常流量判定値と比較し前記異常流量判定値以上の前記流量信号があれば弁駆動許可信号と警報通知信号を出力する異常流量判定部と、前記異常流量判定部の前記弁駆動許可信号を受け取ると弁閉信号を出力する弁駆動部と、前記弁駆動部の前記弁閉信号を受け取るとガス通路を閉栓する弁と、前記異常流量判定部の前記警報通知信号を受け取ると外部に異常を通知する外部通知手段と、前記流量入力手段の前記流量信号を受け取ると前記ガス流入力手段の前記ガス流信号の有無を複数回判定し前記ガス流信号がなければ定期駆動開始信号と前記外部通知手段に前記警報通知信号を出力する流量矛盾判定部と、前記流量入力手段の前記流量信号がある一定期間途絶えると前記流量入力手段に前記流量センサ駆動信号を出力する強制駆動タイマ部と、前記流量矛盾判定部の前記定期駆動開始信号を受け取ると定期的に前記流量入力手段に前記流量センサ駆動信号を出力する定期駆動指示部とを備えたガス遮断装置。
【発明の詳細な説明】
【０００１】
【発明の属する技術分野】
本発明はガスメータ以後のガス使用時に、ガス使用上の安全性を図るガス遮断装置に関するものである。
【０００２】
【従来の技術】
従来、この種のガス遮断装置は図７に示されているように、ガス流入力手段１はガス通路内のガス流により風車を回転させその風車の回転を検出してガス流信号Ａを出力し、流量有無判定部２はガス流入力手段１からのガス流信号Ａを受け取ると流量センサ駆動信号Ｂを出力し、流量入力手段３は流量有無判定部２の流量センサ駆動信号Ｂを受け取るとガス通路内に流れるガス流量を計測し流量信号Ｃを出力し、異常流量判定部４は流量入力手段３の流量信号Ｃを受け取るとあらかじめ保持している異常流量判定値と比較し異常流量判定値以上の流量信号Ｃがあれば弁駆動許可信号Ｄと警報通知信号Ｆを出力し、弁駆動部５は異常流量判定部４の弁駆動許可信号Ｄを受け取ると弁閉信号Ｅを出力し、弁６は弁駆動部５の弁閉信号Ｅを受け取るとガス通路を閉栓し、指針値算出部１１は流量入力手段３の流量信号Ｃを受け取るとガス流量を算出後集計して指針値Ｈを出力し、指針値保持部１２は指針値Ｈを受け取ると指針値Ｈを保持し、外部通知手段７は異常流量判定部４の警報通知信号Ｆを受け取ると外部に、たとえば公共の電話回線を使用してガス遮断装置を監視しているセンタへ異常を通知し、外部より指針値通信要求があると指針値保持部１２の指針値Ｈを通知するようになっていた。
【０００３】
【発明が解決しようとする課題】
しかしながら、従来のガス遮断装置では例えば、ガス流量がなくても定期的（たとえば５秒毎）に流量入力手段を駆動して本当にガス流量がないかを検出すると流量センサが駆動して電池が消耗されることより、ガス流量をガス通路内にガス流があるときにのみ流量入力手段を駆動するようにするために、ガス流の有無を検知できるガス流入力手段の機構を設けているが、このガス流入力手段が故障すると流量センサ駆動信号が出力されなくなるため流量入力手段は駆動されないこととなりガス流量の計量ができなかったり、あるいは流量入力手段が故障すると流量有無判定部が流量センサ駆動信号を無意味に出力するだけでガス流量の計量ができないことになっていた。
【０００４】
このことより、万一ガス流入力手段もしくは流量入力手段が故障した場合には月に１度実施される指針値通信により指針値が増加していなかったりすることによって、すなわちガス遮断装置の指針値が増加していなければガスが全く使用されていないか、もしくはガス遮断装置のガス流入力手段と流量入力手段に異常があるのかのどちらかであることより、間接的に故障の有無をセンタの監視員が判定していたが、故障を見逃す可能性があったり早期に発見できなかったりするというという課題を有していた。
【０００５】
【課題を解決するための手段】
本発明は、ガス通路内のガス流を検出しガス流信号を出力するガス流入力手段と、前記ガス流入力手段からの前記ガス流信号を受け取ると流量センサ駆動信号を出力する流量有無判定部と、前記流量有無判定部の前記流量センサ駆動信号を受け取るとガス通路内に流れるガス流量を計測し流量信号を出力する流量入力手段と、前記流量入力手段の前記流量信号を受け取るとあらかじめ保持している異常流量判定値と比較し前記異常流量判定値以上の前記流量信号があれば弁駆動許可信号と警報通知信号を出力する異常流量判定部を設け、前記異常流量判定部の前記弁駆動許可信号を受け取ると弁閉信号を出力する弁駆動部と、前記弁駆動部の前記弁閉信号を受け取るとガス通路を閉栓する弁と、前記異常流量判定部の前記警報通知信号を受け取ると外部に異常を通知する外部通知手段を設け、さらに前記流量有無判定部の前記流量センサ駆動信号を受け取ると前記流量入力手段の前記流量信号の有無を複数回判定し前記流量信号がなければ前記弁駆動部に前記弁駆動許可信号と前記外部通知手段に前記警報通知信号を出力する流量矛盾判定部を設けたものである。
【０００６】
本発明によれば、ガス流入力手段と流量入力手段の故障を相互にかつ自動的に検知することができる。
【０００７】
【発明の実施の形態】
ガス通路内のガス流を検出しガス流信号を出力するガス流入力手段と、ガス流入力手段からのガス流信号を受け取ると流量センサ駆動信号を出力する流量有無判定部と、流量有無判定部の流量センサ駆動信号を受け取るとガス通路内に流れるガス流量を計測し流量信号を出力する流量入力手段と、流量入力手段の流量信号を受け取るとあらかじめ保持している異常流量判定値と比較し異常流量判定値以上の流量信号があれば弁駆動許可信号と警報通知信号を出力する異常流量判定部と、異常流量判定部の弁駆動許可信号を受け取ると弁閉信号を出力する弁駆動部と、弁駆動部の弁閉信号を受け取るとガス通路を閉栓する弁と、異常流量判定部の警報通知信号を受け取ると外部に異常を通知する外部通知手段と、流量有無判定部の流量センサ駆動信号を受け取ると流量入力手段の流量信号の有無を複数回判定し流量信号がなければ弁駆動部に弁駆動許可信号と外部通知手段に警報通知信号を出力する流量矛盾判定部とを有するものである。
【０００８】
またガス通路内のガス流を検出しガス流信号を出力するガス流入力手段と、ガス流入力手段からのガス流信号を受け取ると流量センサ駆動信号を出力する流量有無判定部と、流量有無判定部の流量センサ駆動信号を受け取るとガス通路内に流れるガス流量を計測し流量信号を出力する流量入力手段と、流量入力手段の流量信号を受け取るとあらかじめ保持している異常流量判定値と比較し異常流量判定値以上の流量信号があれば弁駆動許可信号と警報通知信号を出力する異常流量判定部と、異常流量判定部の弁駆動許可信号を受け取ると弁閉信号を出力する弁駆動部と、弁駆動部の弁閉信号を受け取るとガス通路を閉栓する弁と、異常流量判定部の警報通知信号を受け取ると外部に異常を通知する外部通知手段と、流量入力手段の流量信号を受け取るとガス流入力手段のガス流信号の有無を複数回判定しガス流信号がなければ弁駆動部に弁駆動許可信号と外部通知手段に警報通知信号を出力する流量矛盾判定部と、流量入力手段の流量信号がある一定期間途絶えると弁駆動部に流量センサ駆動信号を出力する強制駆動タイマ部とを有するものである。
【０００９】
さらにガス通路内のガス流を検出しガス流信号を出力するガス流入力手段と、ガス流入力手段からのガス流信号を受け取ると流量センサ駆動信号を出力する流量有無判定部と、流量有無判定部の流量センサ駆動信号を受け取るとガス通路内に流れるガス流量を計測し流量信号を出力する流量入力手段と、流量入力手段の流量信号を受け取るとあらかじめ保持している異常流量判定値と比較し異常流量判定値以上の流量信号があれば弁駆動許可信号と警報通知信号を出力する異常流量判定部と、異常流量判定部の弁駆動許可信号を受け取ると弁閉信号を出力する弁駆動部と、弁駆動部の弁閉信号を受け取るとガス通路を閉栓する弁と、異常流量判定部の警報通知信号を受け取ると外部に異常を通知する外部通知手段と、流量入力手段の流量信号を受け取るとガス流入力手段のガス流信号の有無を複数回判定しガス流信号がなければ定期駆動開始信号と外部通知手段に警報通知信号を出力する流量矛盾判定部と、流量入力手段の流量信号がある一定期間途絶えると弁駆動部に流量センサ駆動信号を出力する強制駆動タイマ部と、流量矛盾判定部の定期駆動開始信号を受け取ると定期的に弁駆動部に流量センサ駆動信号を出力する定期駆動指示部とを有するものである。
【００１０】
【実施例】
以下、本発明の実施例について図面を用いて説明する。
【００１１】
（実施例１）
図１は本発明の実施例１のガス遮断装置の機能ブロック図である。また図２は実施例１のプログラムフロー図である。
【００１２】
図１において、ガス流入力手段１はガス通路内のガス流により風車を回転させその風車の回転を検出（風車に磁石を取付けてリードスイッチにて風車の回転を検知）してガス流があればガス流信号Ａを出力する（あるいは風車に直結した風車軸の回転をマイクロスイッチにて検知しても同等の効果が得られる）。
【００１３】
流量有無判定部２はガス流入力手段１からのガス流信号Ａを受け取ると流量センサ駆動信号Ｂを出力する。流量入力手段３は流量有無判定部２の流量センサ駆動信号Ｂを受け取るとガス通路内に流れるガス流量を正確に計量できる流量センサ（たとえば超音波を照射して流速により音の伝わり方の違いを検知することで計量する超音波センサや、ヒーターで暖めた素子にガス流が当たることで温度が低下し素子の抵抗値が変わるのを検知して計量するフローセンサ等）を駆動して計測しガス流量に比例して流量信号Ｃを出力する。
【００１４】
異常流量判定部４は流量入力手段３の流量信号Ｃを受け取ると流量信号Ｃから流量を算出しあらかじめ保持している異常流量判定値（たとえばガス遮断装置が許容している最大のガス流量値）と比較し異常流量判定値以上の流量信号Ｃがあれば弁駆動許可信号Ｄと警報通知信号Ｆを出力する。
【００１５】
弁駆動部５は異常流量判定部４の弁駆動許可信号Ｄを受け取ると弁閉信号Ｅを出力する。弁６は弁駆動部５の弁閉信号Ｅを受け取ると弁を駆動してガス通路を閉栓する。
【００１６】
外部通知手段７は異常流量判定部４の警報通知信号Ｆを受け取ると外部に、たとえば電話等の公共の通信回線を使用してガス遮断装置を監視しているセンタに異常を通知する。
【００１７】
流量矛盾判定部８は流量有無判定部２の流量センサ駆動信号Ｂを受け取ると流量入力手段３の流量信号Ｃからガス流量の有無を複数回（ガス遮断装置に電源が投入されてからのトータル回数でもよいし複数連続回数でもよい）判定（あるいは一定時間内経過後に再度ガス流量の有無を判定するようにしても同等の効果が得られる）してガス流量がなければ、ガス流入力手段１がガス通路内にガスが流れていないにも係わらずガス流量が流れていると誤判断しているものとして、あるいは流量入力手段３がガス通路内にガスが流れているにも係わらずガス流量がないと誤判断しているものとして、すなわちガス流入力手段１または流量入力手段３が故障していると判断し弁駆動部５に弁駆動許可信号Ｄと外部通知手段７に警報通知信号Ｆを出力する。
【００１８】
次に動作、作用について説明すると、図２に上記手段のプログラムフローを処理Ｔ１から処理Ｔ８に示す。今、処理開始から処理終了までのフローはそれぞれインターバルカレンダ等により周期的に処理されるものとする。
【００１９】
ガス流入力手段１において処理Ｔ１はガス通路内のガス流を風車等の回転に置き換え検出し、ガス流があればガス流信号を出力して処理Ｔ２へ移行する。流量有無判定部２において処理Ｔ２はガス流信号の有無を判定し、ガス流信号があれば処理Ｔ３へ移行しガス流信号がなければ処理を終了する。
【００２０】
流量入力手段３において処理Ｔ３はたとえば超音波センサ等のガス通路内に流れるガス流量を正確に計量できる流量センサを駆動してガス流量があれば流量信号を出力して処理Ｔ４へ移行しガス流量がなければ処理Ｔ８へ移行する。
【００２１】
異常流量判定部４において処理Ｔ４は流量信号からガス通路内に流れている実流量を算出しあらかじめ保持している異常流量判定値（たとえばガス遮断装置が許容している最大のガス流量値）と比較し異常流量判定値以上であれば処理Ｔ５へ移行し異常流量判定値未満であれば処理を終了する。
【００２２】
弁駆動部５において処理Ｔ５は弁６に駆動出力を出して処理Ｔ６へ移行する。弁６において処理Ｔ６はガス通路を閉栓して処理Ｔ７へ移行する。
【００２３】
外部通知手段７において処理Ｔ７は電話等の公共の通信回線を使用してガス遮断装置を監視しているセンタへ異常を通知し処理を終了する。
【００２４】
流量矛盾判定部８において処理Ｔ８は複数回目（例えばトータル２０回でもよいし３回連続でもよい）であることを判定し規定回数に達していれば処理Ｔ５へ移行し規定回数に達していなければ処理を終了する。
【００２５】
（実施例２）
図３は本発明の実施例２のガス遮断装置の機能ブロック図である。また図４は実施例２のプログラムフロー図である。
【００２６】
図３において、ガス流入力手段１はガス通路内のガス流により風車を回転させその風車の回転を検出（風車に磁石を取付けてリードスイッチにて風車の回転を検知）してガス流があればガス流信号Ａを出力する（あるいは風車に直結した風車軸の回転をマイクロスイッチにて検知しても同等の効果が得られる）。
【００２７】
流量有無判定部２はガス流入力手段１からのガス流信号Ａを受け取ると流量センサ駆動信号Ｂを出力する。流量入力手段３は流量有無判定部２の流量センサ駆動信号Ｂを受け取るとガス通路内に流れるガス流量を正確に計量できる流量センサ（たとえば超音波を照射して流速により音の伝わり方の違いを検知することで計量する超音波センサや、ヒーターで暖めた素子にガス流が当たることで温度が低下し素子の抵抗値が変わるのを検知して計量するフローセンサ等）を駆動して計測しガス流量に比例して流量信号Ｃを出力する。
【００２８】
異常流量判定部４は流量入力手段３の流量信号Ｃを受け取ると流量信号Ｃから流量を算出しあらかじめ保持している異常流量判定値（たとえばガス遮断装置が許容している最大のガス流量値）と比較し異常流量判定値以上の流量信号Ｃがあれば弁駆動許可信号Ｄと警報通知信号Ｆを出力する。
【００２９】
弁駆動部５は異常流量判定部４の弁駆動許可信号Ｄを受け取ると弁閉信号Ｅを出力する。弁６は弁駆動部５の弁閉信号Ｅを受け取ると弁を駆動してガス通路を閉栓する。
【００３０】
外部通知手段７は異常流量判定部４の警報通知信号Ｆを受け取ると外部に、たとえば電話等の公共の通信回線を使用してガス遮断装置を監視しているセンタに異常を通知する。
【００３１】
流量矛盾判定部８は流量入力手段３の流量信号Ｃからガス流量を受け取るとガス流入力手段１のガス流信号Ａ（あるいは流量有無判定部２の流量センサ駆動信号Ｂでも同等の効果が得られる）の有無を複数回（ガス遮断装置に電源が投入されてからのトータル回数でもよいし複数連続回数でもよい）判定しガス流信号Ａがなければ、ガス流入力手段１がガス通路内にガスが流れているにも係わらずガス流量が流れていないと誤判断しているものとして、すなわちガス流入力手段１が故障していると判断し弁駆動部５に弁駆動許可信号Ｄと外部通知手段７に警報通知信号Ｆを出力する。
【００３２】
強制駆動タイマ部９は流量入力手段３の流量信号Ｃを監視しある一定期間途絶える（例えば２４時間）と弁駆動部５に流量センサ駆動信号Ｂを出力する。
【００３３】
次に動作、作用について具体的な説明を図４を用いて説明する。
【００３４】
図４に上記手段のプログラムフローを処理Ｔ１０から処理Ｔ２２に示す。
【００３５】
今、処理開始から処理終了までのフローはそれぞれインターバルカレンダ等により周期的に処理されるものとする。
【００３６】
強制駆動タイマ部９において処理Ｔ１０は流量監視タイマがある一定期間経過した（例えば２４時間）かを判定し経過していれば処理Ｔ１１へ移行し、経過していなければ処理Ｔ１９へ移行する。
【００３７】
流量入力手段３において処理Ｔ１１はたとえば超音波センサ等のガス通路内に流れるガス流量を正確に計量できる流量センサを駆動してガス流量があれば流量信号を出力して処理Ｔ１２へ移行しガス流量がなければ処理を終了する。
【００３８】
ガス流入力手段１において処理Ｔ１２はガス通路内のガス流を風車等の回転に置き換え検出し、ガス流があればガス流信号を出力して処理Ｔ１３へ移行する。流量有無判定部２において処理Ｔ１３はガス流信号の有無を判定し、ガス流信号があれば処理Ｔ１４へ移行しガス流量がなければ処理Ｔ２２へ移行する。処理Ｔ１４は流量監視タイマをクリアして処理Ｔ１５へ移行する。
【００３９】
異常流量判定部４において処理Ｔ１５は流量信号からガス通路内に流れている実流量を算出しあらかじめ保持している異常流量判定値（たとえばガス遮断装置が許容している最大のガス流量値）と比較し異常流量判定値以上であれば処理Ｔ１６へ移行し異常流量判定値未満であれば処理を終了する。
【００４０】
弁駆動部５において処理Ｔ１６は弁６に駆動出力を出して処理Ｔ１７へ移行する。弁６において処理Ｔ１７はガス通路を閉栓して処理Ｔ１８へ移行する。
【００４１】
外部通知手段７において処理Ｔ１８は電話等の公共の通信回線を使用してガス遮断装置を監視しているセンタへ異常を通知し処理を終了する。
【００４２】
ガス流入力手段１において処理Ｔ１９はガス通路内のガス流を風車等の回転に置き換え検出し、ガス流があればガス流信号を出力して処理Ｔ２０へ移行する。流量有無判定部２において処理Ｔ２０はガス流信号の有無を判定し、ガス流信号があれば処理Ｔ２１へ移行しガス流信号がなければ処理を終了する。
【００４３】
流量入力手段３において処理Ｔ２１は流量センサを駆動してガス流量があれば流量信号を出力して処理Ｔ１４へ移行しガス流量がなければ処理Ｔ２２へ移行する。
【００４４】
流量矛盾判定部８において処理Ｔ２２は複数回目（例えばトータル２０回でもよいし３回連続でもよい）であることを判定し規定回数に達していれば処理Ｔ１６へ移行し規定回数に達していなければ処理を終了する。
【００４５】
（実施例３）
図５は本発明の実施例３のガス遮断装置の機能ブロック図である。また図６は実施例３のプログラムフロー図である。
【００４６】
図５において、ガス流入力手段１はガス通路内のガス流により風車を回転させその風車の回転を検出（風車に磁石を取付けてリードスイッチにて風車の回転を検知）してガス流があればガス流信号Ａを出力する（あるいは風車に直結した風車軸の回転をマイクロスイッチにて検知しても同等の効果が得られる）。
【００４７】
流量有無判定部２はガス流入力手段１からのガス流信号Ａを受け取ると流量センサ駆動信号Ｂを出力する。流量入力手段３は流量有無判定部２の流量センサ駆動信号Ｂを受け取るとガス通路内に流れるガス流量を正確に計量できる流量センサ（たとえば超音波を照射して流速により音の伝わり方の違いを検知することで計量する超音波センサや、ヒーターで暖めた素子にガス流が当たることで温度が低下し素子の抵抗値が変わるのを検知して計量するフローセンサ等）を駆動して計測しガス流量に比例して流量信号Ｃを出力する。
【００４８】
異常流量判定部４は流量入力手段３の流量信号Ｃを受け取ると流量信号Ｃから流量を算出しあらかじめ保持している異常流量判定値（たとえばガス遮断装置が許容している最大のガス流量値）と比較し異常流量判定値以上の流量信号Ｃがあれば弁駆動許可信号Ｄと警報通知信号Ｆを出力する。
【００４９】
弁駆動部５は異常流量判定部４の弁駆動許可信号Ｄを受け取ると弁閉信号Ｅを出力する。弁６は弁駆動部５の弁閉信号Ｅを受け取ると弁を駆動してガス通路を閉栓する。
【００５０】
外部通知手段７は異常流量判定部４の警報通知信号Ｆを受け取ると外部に、たとえば電話等の公共の通信回線を使用してガス遮断装置を監視しているセンタに異常を通知する。
【００５１】
流量矛盾判定部８は流量入力手段３の流量信号Ｃからガス流量を受け取るとガス流入力手段１のガス流信号Ａ（あるいは流量有無判定部２の流量センサ駆動信号Ｂでも同等の効果が得られる）の有無を複数回（ガス遮断装置に電源が投入されてからのトータル回数でもよいし複数連続回数でもよい）判定しガス流信号Ａがなければ、ガス流入力手段１がガス通路内にガスが流れているにも係わらずガス流量が流れていないと誤判断しているものとして、すなわちガス流入力手段１が故障していると判断し定期駆動開始信号Ｇと外部通知手段７に警報通知信号Ｆを出力する。
【００５２】
強制駆動タイマ部９は流量入力手段３の流量信号Ｃを監視しある一定期間途絶える（たとえば２４時間）と流量入力手段３に流量センサ駆動信号Ｂを出力する。
【００５３】
定期駆動指示部１０は流量矛盾判定部９の定期駆動開始信号Ｇを受け取ると定期的（たとえば５秒毎）に流量入力手段３に流量センサ駆動信号Ｂを出力する。
【００５４】
次に動作、作用について具体的な説明を図６を用いて説明する。
【００５５】
図６に上記手段のプログラムフローを処理Ｔ１０から処理Ｔ２４に示す。なお実施例２と同一符号のものは同一構造を有し、説明は省略する。
【００５６】
但し、処理Ｔ２２は複数回目であることを判定し既定値に達していれば処理Ｔ２４へ移行するものとする。
【００５７】
今、処理開始から処理終了までのフローはそれぞれインターバルカレンダ等により周期的に処理されるものとする。
【００５８】
実施例３と異なる点は、定期駆動指示部１０において処理Ｔ２３は定期駆動中か判定し、定期駆動中であれば処理Ｔ２１へ移行し、定期駆動中でなければ処理Ｔ１０へ移行する。処理Ｔ２４は定期駆動を開始して処理Ｔ１８へ移行する。
【００５９】
【発明の効果】
以上のように請求項１記載の発明によればガス流入力手段と流量入力手段の故障を相互にかつ自動的に検知することができる。さらに今までガス流入力手段と流量入力手段の故障はガス遮断装置を監視している監視員の指針値の監視によってのみ発見するしかなかったが、監視員の判断を必要としない様にすることで見落される可能性をなくしガス遮断装置の保全性を向上させることができる。またガス流入力手段と流量入力手段が故障することより、異常な流量が流れているにも係わらずガス流量の検出ができないためにガスを使用することが可能となっていたものを、ガス通路を閉栓することでガス事故を未然に防止できガス使用者の生命および財産を守ことができるという有利な効果を有する。
【００６０】
また、請求項２記載の発明によればガス流入力手段が故障しているため流量入力手段が駆動できずにガス流量を検知できなかったことを、すなわち故障の判定ができなかったことをガス流量が一定期間流れていないことを検知して強制的に流量入力手段を駆動させることでガス流入力手段の故障を検知可能としている。このことにより本発明１と同様にガス遮断装置の保全性の向上およびガス通路を閉栓することでガス事故を未然に防止できガス使用者の生命および財産を守ことができるという有利な効果を有する。
【００６１】
さらに、請求項３記載の発明によればガス通路を閉栓する代わりに定期的に流量入力手段を駆動させることでガス流量を検知可能とすることで、ガス流入力手段の故障（ガス遮断装置を監視しているセンタへの外部通信が行われることでガス遮断装置の交換の要否がわかる）からガス遮断装置を交換するまでの間、ガスを使用することが可能となり、飲食店等のガスを使用した商売を行っているガス使用者へのガス供給をストップせずに故障検知と利便性の両立ができるという有利な効果を有する。
【図面の簡単な説明】
【図１】本発明の実施例１のガス遮断装置の機能ブロック図
【図２】同装置のプログラムフローチャート
【図３】本発明の実施例２のガス遮断装置の機能ブロック図
【図４】同装置のプログラムフローチャート
【図５】本発明の実施例３のガス遮断装置の機能ブロック図
【図６】同装置のプログラムフローチャート
【図７】従来のガス遮断装置の機能ブロック図
【符号の説明】
１  ガス流入力手段
２  流量有無判定部
３  流量入力手段
４  異常流量判定部
５  弁駆動部
６  弁
７  外部通知部
８  流量矛盾判定部
９  強制駆動タイマ部
１０  定期駆動指示部
１１  指針値算出部
１２  指針値保持部
【図１】
0003837989.tif 000002
【図２】
0003837989.tif 000003
【図３】
0003837989.tif 000004
【図４】
0003837989.tif 000005
【図５】
0003837989.tif 000006
【図６】
0003837989.tif 000007
【図７】
0003837989.tif 000008